(57)【要約】【課題】  篩い分けが困難な材料であっても、目詰まりしにくくて、確実に篩い分けることができる、篩い分け網を提供する。【解決手段】  篩い分け網１は、原料を篩い分ける振動篩機Ｆに取り付けられるものであり、複数の縦素線２、２と、支持部３と、連結部４とを備える。縦素線２は、原料の流れる方向Ｄと同一方向に延びる縦線部２１と、その縦線部２１の一方の端部２１ａから下方に向かって延びる垂下部２２とからなる。支持部３は、縦線部２１、２１の他方の端部２１ｂ、２１ｂを互いに連結するようにして支持する。連結部４は、垂下部２２、２２を、互いに連結する。【選択図】  図２
2006035152.tif 000002
【特許請求の範囲】
【請求項１】
原料を篩い分ける振動篩機に取り付けられる、篩い分け網であって、
前記原料の流れる方向と同一方向に延びる縦線部と、その縦線部の、前記原料の流れる方向の下流側となる、一方の端部から下方に向かって延びる垂下部とからなる、複数の縦素線と、
それら複数の縦素線が、前記原料の流れる方向と直交する方向に、所要の間隔を隔てて互いに平行して並ぶように、前記複数の縦素線の、それぞれの縦線部の、前記原料の流れる方向の上流側となる、他方の端部を互いに連結するようにして支持する支持部と、それぞれの垂下部を互いに連結する連結部とを備えることを特徴とする、篩い分け網。
【請求項２】
前記縦線部と前記垂下部とは、一本の線材からなり、
前記垂下部は、前記線材の端部部分が下方に折り曲げられて形成されることを特徴とする、請求項１に記載の篩い分け網。
【請求項３】
前記縦素線は、前記縦線部の、前記原料の流れる方向の下流側に位置する部分が、前記原料の流れる方向の上流側に位置する部分よりも下方に位置するように、その縦線部の、一方の端部と他方の端部との間において、段差を有することを特徴とする、請求項１または２に記載の篩い分け網。
【請求項４】
前記段差は、前記縦線部が、その延びる方向の中間部において、階段状に折り曲げられて形成されることを特徴とする、請求項３に記載の篩い分け網。
【請求項５】
前記縦素線は、前記垂下部の下端から前記原料の流れる方向と同一方向に延びる、延出部を備え、
前記複数の縦素線の、それぞれの前記延出部は、他の支持部によって、互いに連結されるようにして支持され、かつ、それぞれの前記段差を形成する繋ぎ部は、他の連結部によって、互いに連結されることを特徴とする、請求項３または４に記載の篩い分け網。
【請求項６】
請求項１ないし５のいずれか１項に記載の篩い分け網が取り付けられてなる、振動篩機。
【請求項７】
請求項１ないし５のいずれか１項に記載の篩い分け網が、複数取り付けられてなる、振動篩機であって、
前記複数の篩い分け網は、原料の流れる方向に沿って並ぶとともに、原料の流れる方向の下流側に位置するものほど下方に位置するように、階段状に取り付けられていることを特徴とする、振動篩機。
【発明の詳細な説明】
【技術分野】
【０００１】
この発明は、振動篩機に取り付けられる、篩い分け網およびその篩い分け網を取り付けた振動篩機に関するものである。
【背景技術】
【０００２】
振動篩機に取り付けられる、篩い分け網は、一般に、振動篩機に投入された原料の流れる方向と同一方向に延びる縦方向の素線と、原料の流れる方向と直交する方向に延びる横方向の素線とが交差状に結合されて、一定の大きさの網目を形成していた。そして、振動篩機によって、振動されることで、その網目を通り抜けた一定以下の大きさの原料と、その網目を通り抜けることができない一定以上の大きさの原料とに分けることができた。
【０００３】
ところが、篩い分け網には、篩い分けを行ううちに網目に原料が詰まること（目詰まり）により、十分に篩い分けができなくなるという問題があり、この問題を解決するために様々な網が考えられてきた。目詰まりを少なくするための網としては、ハープ式タイプの網や、櫛状の網があった。ハープ式タイプの網は、網目が原料の流れる方向に長く目開きするように、横方向の素線を少なくしたものである。一方、櫛状の網は、横方向の素線をなくして、縦方向の素線のみによって構成するとともに、その縦方向の素線を、一方の端部でのみ固定したものである。これらハープ式タイプの網や櫛状の網によると、原料が網目に刺さり難くなり、目詰まりが低減された。
【発明の開示】
【発明が解決しようとする課題】
【０００４】
しかしながら、ハープ式タイプの網においては、原料の流れる方向と直交する横方向の素線があるために、選別のために投入される原料が、例えば、含水率が高く、微粉や微泥を多く含む土砂などの、付着性の高い原料である場合においては、その原料が横方向の素線に付着し、次第に成長していき、最終的に網目を閉塞してしまうことで、網目が目詰まりしてしまう虞があった。
【０００５】
また、櫛状の網においては、縦方向の素線が、一方の端部で固定されるだけであるので、素線の他方の端部側における間隔が容易に開いてしまい、網を通過させたくない大きな原料までも網目を通過してしまうことで、正確な選別ができなくなる虞があった。
【０００６】
この発明は、上記した欠点を解決するためになされたものであり、その目的とするところは、篩い分けが困難な材料であっても、目詰まりしにくくて、確実に篩い分けることができる、篩い分け網およびその篩い分け網を取り付けた振動篩機を提供することにある。
【課題を解決するための手段】
【０００７】
この発明に係る、篩い分け網および振動篩機は、前記目的を達成するために、次の構成からなる。すなわち、
原料を篩い分ける振動篩機に取り付けられる、篩い分け網であって、前記原料の流れる方向と同一方向に延びる縦線部と、その縦線部の、前記原料の流れる方向の下流側となる、一方の端部から下方に向かって延びる垂下部とからなる、複数の縦素線と、それら複数の縦素線が、前記原料の流れる方向と直交する方向に、所要の間隔を隔てて互いに平行して並ぶように、前記複数の縦素線の、それぞれの縦線部の、前記原料の流れる方向の上流側となる、他方の端部を互いに連結するようにして支持する支持部と、それぞれの垂下部を互いに連結する連結部とを備える。
【０００８】
これによれば、原料の流れる方向の上流側となる縦線部の他方の端部が、支持部によって連結されるとともに、下流側となる縦線部の一方の端部から下方に延びる垂下部が、連結部によって連結されることで、複数の縦素線が、原料の流れる方向と直交する方向に、所要の間隔を隔てて互いに平行して並ぶこととなり、篩い分け網の網目は、原料の流れる方向に長く開口する。また、各縦素線は、垂下部において、互いに連結されることから、篩い分け網には、縦線部を上流から下流に向かって進む原料の流れを阻害するようなものがない。このように、篩い分け網は、その網目が原料の流れる方向に長く開口するだけでなく、前記原料の流れを阻害するものを有しないので、含水率が高く、微粉や微泥を多く含む土砂などの、付着性の高い原料を篩い分けるときに、その原料が網目に付着することを低減でき、ひいては、その篩い分け網の目詰まりが低減される。また、縦素線が、縦線部の他方の端部と、垂下部とで連結されているので、縦素線の間隔は、必要以上に開くことがなくなり、原料の篩い分けを確実にすることができる。
【０００９】
また、請求項２に記載の発明に係る篩い分け網は、請求項１に記載の篩い分け網において、前記縦線部と前記垂下部とは、一本の線材からなり、前記垂下部は、前記線材の端部部分が下方に折り曲げられて形成される。これにより、一本の線材を折り曲げることで簡単に縦素線を形成することができる。
【００１０】
また、請求項３に記載の発明に係る篩い分け網は、請求項１または２に記載の篩い分け網において、前記縦素線は、前記縦線部の、前記原料の流れる方向の下流側に位置する部分が、前記原料の流れる方向の上流側に位置する部分よりも下方に位置するように、その縦線部の、一方の端部と他方の端部との間において、段差を有する。これにより、上流から下流に向かって流れる原料は、段差を通過することで、下流側に位置する縦線部上へと落下し、その衝撃によって、ほぐされる。したがって、含水率が高い等によって、まとまって流れ易い原料であっても、段差を通過することでほぐされるので、篩い分けを容易にすることができる。
【００１１】
また、請求項４に記載の発明に係る篩い分け網は、請求項３に記載の篩い分け網において、前記段差は、前記縦線部が、その延びる方向の中間部において、階段状に折り曲げられて形成される。このように、縦線部を折り曲げることで、簡単に段差を形成することができる。
【００１２】
また、請求項５に記載の発明に係る篩い分け網は、請求項３または４に記載の篩い分け網において、前記縦素線は、前記垂下部の下端から前記原料の流れる方向と同一方向に延びる、延出部を備え、前記複数の縦素線の、それぞれの前記延出部は、他の支持部によって、互いに連結されるようにして支持され、かつ、それぞれの前記段差を形成する繋ぎ部は、他の連結部によって、互いに連結される。これによれば、複数の縦素線の、それぞれの段差を形成する繋ぎ部が、他の連結部によって互いに連結されているので、縦線部の長さ寸法が大きくても、縦素線２、２の間隔が、必要以上に開くことがなく、原料の篩い分けを確実にすることができる。また、各縦素線は、前記垂下部とともに前記繋ぎ部において、互いに連結されることから、原料の流れが阻害されることはない。さらには、支持部が、縦線部の他方の端部を支持し、他の支持部が、延出部を支持することから、支持部および他の支持部の双方を振動篩機に固定することで、篩い分け網は、原料の流れる方向における上流側および下流側の両端がともに固定され、安定的に取り付けられることとなる。
【００１３】
請求項６に記載の発明に係る振動篩機は、請求項１ないし５のいずれか１項に記載の篩い分け網が取り付けられてなる。これにより、投入された原料を、確実に篩い分けることができる。
【００１４】
また、請求項７に記載の発明に係る振動篩機は、請求項１ないし５のいずれか１項に記載の篩い分け網が、複数取り付けられてなる。そして、前記複数の篩い分け網は、原料の流れる方向に沿って並ぶとともに、原料の流れる方向の下流側に位置するものほど下方に位置するように、階段状に取り付けられている。これにより、上流から下流に向かって流れる原料は、上流側に位置する篩い分け網から下流側に位置する篩い分け網へと落下し、その衝撃によって、ほぐされる。したがって、含水率が高い等によって、まとまって流れ易い原料であっても、篩い分け網によって、ほぐされるので、篩い分けを容易にすることができる。
【発明の効果】
【００１５】
この発明に係る篩い分け網および振動篩機によれば、含水率が高く、微粉や微泥を多く含む土砂などの、篩い分けが困難な原料であっても、目詰まりしにくく、確実に篩い分けることができる。
【発明を実施するための最良の形態】
【００１６】
以下、この発明に係る篩い分け網および振動篩機を実施するための最良の形態を図面に基づいて説明する。
【００１７】
図１ないし図３は、この発明に係る篩い分け網の第一の実施の形態を示す。篩い分け網１は、原料を篩い分ける振動篩機Ｆに取り付けられるものであり、複数の縦素線２、２と、支持部３と、連結部４とを備える。
【００１８】
縦素線２は、振動篩機に投入された原料の流れる方向Ｄと同一方向に延びる縦線部２１と、その縦線部２１の、前記原料の流れる方向Ｄの下流側となる、一方の端部２１ａから下方に向かって延びる垂下部２２とからなる。図示実施の形態においては、縦線部２１と垂下部２２とは、例えば、鋼線等の一本の線材からなっている。そして、前記垂下部２２は、前記一本の線材の端部部分が下方に９０度折り曲げられるようにして形成されている。なお、線材は、例えば、硬鋼線、ステンレス線等の金属製線材のほか、金属製線材の表面にウレタン樹脂等の合成樹脂をコーティングしたり、あるいは、ウレタン樹脂等の合成樹脂の筒内に金属製線材を通したりなどして、表面にウレタン樹脂等の合成樹脂の皮膜が形成されたものであってもよく、特定の素材からなるものに限られない。
【００１９】
支持部３は、前記複数の縦素線２、２が、原料の流れる方向Ｄと直交する方向に、所要の間隔を隔てて互いに平行して並ぶように、前記複数の縦素線２、２の、それぞれの縦線部２１、２１の、前記原料の流れる方向Ｄの上流側となる、他方の端部２１ｂ、２１ｂを互いに連結するようにして支持するものである。詳しくは、支持部３は、前記他方の端部２１ｂ、２１ｂが固着される固着部３０と、振動篩機に取り付けられる取付部３１とを備えている。図示実施の形態においては、支持部３は、前記原料の流れる方向Ｄと直交する方向が長手方向となる矩形形状を呈する上側のプレート３２と、前記上側のプレート３２より幅広な矩形形状を呈する下側のプレート３３とからなっている。ここで、前記上側のプレート３２と、前記下側のプレート３３における、前記上側のプレート３２と重なる部分３３ａとが、前記固着部３０となり、前記下側のプレート３３における、前記上側のプレート３２と重ならない部分３３ｂ（上側のプレート３２よりも側方に突き出た部分）が、前記取付部３１となっており、この下側のプレート３３の一部からなる取付部３１には、その取付部３１を振動篩機に取り付けるための固定具としてのボルトＢ、Ｂが挿通される、取付孔３１ａ、３１ａが、前記下側のプレート３３の長手方向に並ぶように、複数、詳しくは、５つ形成されている。そして、前記縦線部２１、２１を等間隔で平行に並べた状態で、それらの他方の端部２１ｂ、２１ｂを、上側のプレート３２と下側のプレート３３とで挟み、かつ、前記上側のプレート３２と下側のプレート３３とを固定することで、前記他方の端部２１ｂ、２１ｂは、固着部３０に固着される。すなわち、前記他方の端部２１ｂ、２１ｂは、支持部３によって、互いに連結するようにして支持される。これにより、縦素線２、２は、原料の流れる方向Ｄと直交する方向に、所要の間隔を隔てて互いに平行して並ぶこととなる。
【００２０】
連結部４は、前記複数の縦素線２、２の、それぞれの垂下部２２、２２を、前記縦線部２１、２１の一方の端部２１ａ、２１ａから下方に下がった位置において、互いに連結するものである。詳しくは、連結部４は、原料の流れる方向Ｄと直交する方向（縦素線２、２が並ぶ方向）に延びる、連結部材４０、図示実施に形態においては、２つの連結部材４０、４０からなる。これら連結部材４０、４０は、図示実施の形態においては、縦素線２、２を構成する線材と同一の線材からなる。そして、これら連結部材４０、４０は、縦線部２１、２１の一方の端部２１ａ、２１ａから下方に下がった位置、例えば、垂下部２２、２２の、中間位置および／もしくは下端位置において、前記複数の縦素線２、２の全てと交差するように配置されるとともに、垂下部２２、２２との交差部で溶接等により固着されている。
【００２１】
この第一の実施の形態の篩い分け網１は、例えば、図４に示すような態様で振動篩機Ｆに取り付けられて使用される。図４においては、振動篩機Ｆには、４つの篩い分け網１、１が、前記振動篩機Ｆに投入される原料の流れる方向Ｄに沿って並ぶとともに、原料の流れる方向の下流側に位置するものほど下方に位置するように、階段状に並んで取り付けられている。ここで、篩い分け網１、１は、支持部３の取付部３１がボルトＢ、Ｂによって、振動篩機Ｆに設けられた被取付部Ｆａ、Ｆａに固定されることで、振動篩機Ｆに取り付けられている。なお、図４においては、振動篩機Ｆには、４つの篩い分け網１、１が取り付けられているが、振動篩機Ｆに取り付けられる篩い分け網１の数量は、特に限定されるわけではなく、単数であったり、４つ以外の複数であったりしてもよい。
【００２２】
次に、以上の構成からなる篩い分け網１の作用効果について説明する。この篩い分け網１によれば、縦線部２１、２１の他方の端部２１ｂ、２１ｂが、支持部３によって連結され、かつ、垂下部２２、２２が、連結部４によって連結されることで、複数の縦素線２、２は、原料の流れる方向Ｄと直交する方向に、所要の間隔を隔てて互いに平行して並ぶこととなり、篩い分け網１の網目は、原料の流れる方向Ｄに長く開口する。また、垂下部２２、２２は、縦線部２１、２１の一方の端部２１ａ、２１ａから下方に下がった位置において、連結部４によって連結されていることから、篩い分け網１には、縦線部２１、２１を上流から下流に向かって進む原料の流れを阻害するようなものがない。このように、篩い分け網１は、その網目が原料の流れる方向に長く開口するだけでなく、原料の流れを阻害するものを有しないので、含水率が高く、微粉や微泥を多く含む土砂などの、付着性の高い原料等の、篩い分けが困難な原料を篩い分けるときに、その原料が篩い分け網１の網目に付着することを低減できる。したがって、この篩い分け網１は、その目詰まりが低減される。
【００２３】
また、縦素線２、２は、その全てが、支持部３と連結部４とによって互いに連結されているので、原料が局所的に固まって流れるような場合であっても、その重さを全ての縦素線２、２で分配するように受けることができ、篩い分け網１は、破損等の虞が少ない。さらには、隣り合う縦素線２、２の間隔が、必要以上に開くことがないので、篩い分け網１の網目を通したくない大きな原料までもが篩い落とされるという虞が少なく、原料の篩い分けを確実にすることができる。
【００２４】
また、縦線部２１と垂下部２２とが一本の線材からなるとともに、垂下部２２は、その線材の端部部分を折り曲げることで形成されるので、縦素線２を簡単に形成することができる。
【００２５】
さらに、図４に示したように、篩い分け網１、１が階段状に、複数並んで取り付けられる場合には、上流から下流に向かって流れる原料は、上流側に位置する篩い分け網１から、下流側に位置する篩い分け網１へと落下し、その衝撃によって、ほぐされる。したがって、含水率が高い等の理由で、まとまって流れ易く、原料が局所的に固まって流れる場合であっても、その原料が上流側から下流側に向かうほど、篩い分け網１、１によって、ほぐされるので、その原料の篩い分けを容易にすることができる。
【００２６】
図示実施の形態に示す篩い分け網１は、図４に示した使用態様に限定されるわけではなく、図５に示すように、網目の形状の異なる網とともに使用することもできる。すなわち、篩い分け網１を、原料の流れる方向Ｄの上流側に取り付け、下流側には、網目がほぼ正方形に目開きする角目タイプの網や、原料の流れる方向に長く目開きするトンキャップタイプの網等の、篩い分け網１とは網目の形状が異なる網１１、１１を、取り付けてもよい。このとき、篩い分け網１の取付数量は、図５に示すように一つに限定されるわけではなく、複数であってもよいし、また、下流側に取り付ける網１１、１１についても、単数であっても、あるいは、３以上の複数であってもよいことは言うまでもない。
【００２７】
図６に、この発明に係る篩い分け網の、第二の実施の形態を示す。この第二の実施の形態においては、第一の実施の形態と比較して、篩い分け網１の縦素線２、２が段差を有する点で異なるほかは、支持部３および連結部４の態様は同じであり、以下に異なる部分を主に説明する。
【００２８】
縦素線２は、縦線部２１の、原料の流れる方向Ｄの下流側に位置する部分が、前記原料の流れる方向の上流側に位置する部分よりも、下方に位置するように、その縦線部２１の、一方の端部２１ａと他方の端部２１ｂとの間において、段差を有している。具体的には、縦素線２は、前記段差を形成する、後述する繋ぎ部２５を有する縦線部２１と、垂下部２２とを備える。詳しくは、縦線部２１は、前記原料の流れる方向Ｄと同一方向に延びるとともに前記原料の流れる方向Ｄの上流側に位置する部分となる、第１の流動方向線部２３と、前記原料の流れる方向Ｄと同一方向に延びるとともに前記原料の流れる方向Ｄの下流側に位置する部分となる、第２の流動方向線部２４と、第１の流動方向線部２３の下流側の端部２３ａから下方に向かって９０度折れ曲がるように延びて、第２の流動方向線部２４の上流側の端部２４ｂに繋がる、繋ぎ部２５とを有する。一方、垂下部２２は、前記縦線部２１の一方の端部２１ａ、詳しくは、第２の流動方向線部２４の下流側の端部２４ａから下方に向かって９０度折れ曲がるように延びている。そして、縦線部２１、２１の他方の端部２１ｂ、２１ｂ、詳しくは、第１の流動方向線部２３、２３の上流側の端部２３ｂ、２３ｂは、第一の実施の形態と同様に、支持部３によって連結されるようにして支持され、垂下部２２、２２は、第一の実施の形態と同様に、連結部４によって連結されている。ところで、前記第１の流動方向線部２３と、前記第２の流動方向線部２４と、前記繋ぎ部２５とによって構成される、第二の実施に形態における縦線部２１は、第一の実施の形態における縦線部２１と同一の材質からなるとともに、同一の太さ寸法および同一の長さ寸法を備える、一本の線材からなる。そして、前記第１の流動方向線部２３と、前記第２の流動方向線部２４と、前記繋ぎ部２５とは、前記一本の線材が中間部分において、階段状に折り曲げられるようにして形成されている。したがって、前記段差は、縦線部２１、２１、詳しくは、縦線部２１、２１を構成する線材が延びる方向の中間部において、階段状に折り曲げられて形成されることとなる。なお、縦線部２１を構成する線材の、材質、太さ寸法および長さ寸法については、線材の剛性等を考慮して様々に設計変更可能であることは言うまでもない。
【００２９】
この第二の実施の形態の篩い分け網１によれば、上流から下流に向かって流れる原料は、段差を通過することで、縦素線２、２の上流側に位置する部分から、下流側に位置する部分へと落下し、その衝撃によって、ほぐされる。したがって、含水率が高い等によって、まとまって流れ易い原料であっても、段差を通過することでほぐされるので、篩い分けを容易にすることができる。
【００３０】
図７に、この発明に係る篩い分け網の、第三の実施の形態を示す。この第三の実施の形態においては、縦素線２は、縦線部２１と、垂下部２２と、垂下部２２の下端から原料の流れる方向Ｄと同一方向に延びる延出部２６（図示実施の形態においては、延出部２６は、垂下部２２の下端から原料の流れる方向Ｄの下流側に向かって９０度折れ曲がるように延びている。）とからなるとともに、第二の実施の形態と同様に、縦線部２１の上流側の端部２１ｂ（詳しくは、後述する第１の流動方向線部２７の上流側の端部２７ｂ）と、縦線部２１の下流側の端部２１ａ（詳しくは、後述する第２の流動方向線部２８の下流側の端部２８ａ）との間に段差を有している。すなわち、縦線部２１は、第二の実施の形態と同様に、一本の線材が折り曲げられて、原料の流れる方向Ｄと同一方向に延びる、第１の流動方向線部２７および第２の流動方向線部２８と、第１の流動方向線部２７の下流側の端部２７ａから下方に向かって９０度折れ曲がるように延びて、第２の流動方向線部２８の上流側の端部２８ｂに繋がる、繋ぎ部２９とを有するように形成されている。ここで、前記第１の流動方向線部２７が、縦線部２１の、原料の流れる方向Ｄの上流側に位置する部分となり、前記第２の流動方向線部２８が、原料の流れる方向Ｄの下流側に位置する部分となり、前記繋ぎ部２９が、前記段差を形成している点は、第二の実施の形態と同様である。ところで、第三の実施の形態の縦線部２１は、第二の実施の形態と比較して、材質および太さは同一であるが、長さ寸法が、例えば、約２倍程度となっている。詳しくは、第三の実施の形態における、第１の流動方向線部２７および第２の流動方向線部２８の長さ寸法は、第二の実施の形態における、第１の流動方向線部２３および第２の流動方向線部２４のそれぞれの長さ寸法に対して、例えば、約２倍程度となっている。一方、繋ぎ部２９は、繋ぎ部２５とほぼ同一の長さ寸法となっている。
【００３１】
そして、縦線部２１、２１の他方の端部２１ｂ、２１ｂ（詳しくは、第１の流動方向線部２７、２７の上流側の端部２７ｂ、２７ｂ）は、第一および第二の実施の形態と同様に、支持部３によって連結されるように支持され、垂下部２２は、第一および第二の実施の形態と同様に、連結部４によって連結されている。さらに、図示実施の形態においては、縦素線２、２の間隔が、それらの中間部（詳しくは、繋ぎ部２９、２９近辺）において、必要以上に開くことがないように、繋ぎ部２９、２９は、第１の流動方向線部２７、２７の下流側の端部２７ａ、２７ａから下方に下がった位置において、例えば、繋ぎ部２９、２９の中間位置（および／もしくは下端位置）において、連結部４と同一の構成からなる他の連結部４ａによって連結されている。また、延出部２６、２６は、支持部３と同一の構成からなる、他の支持部３ａによって連結されるように支持されている。この篩い分け網１は、支持部３および他の支持部３ａの双方が振動篩機に固定されることで、振動篩機に取り付けられることとなる。
【００３２】
この第三の実施の形態の篩い分け網１によれば、縦線部２１、２１の両端部が支持部３および他の支持部３ａによって連結され、垂下部２２、２２が連結部によって連結され、さらに、繋ぎ部２９、２９が他の連結部４ａによって連結されることで、複数の縦素線２、２は、原料の流れる方向Ｄと直交する方向に、所要の間隔を隔てて平行して並ぶこととなり、篩い分け網１の網目は、原料の流れる方向Ｄに長く開口する。また、垂下部２２、２２は、縦線部２１、２１の一方の端部２１ａ、２１ａ（詳しくは、第２の流動方向線部２８、２８の下流側の端部２８ａ、２８ａ）から下方に下がった位置において、連結部４によって連結され、繋ぎ部２９、２９が、第１の流動方向線部２７、２７の下流側の端部２７ａ、２７ａから下方に下がった位置において、他の連結部４ａによって連結されていることから、篩い分け網１には、縦線部２１、２１上を上流から下流に向かって進む原料の流れを阻害するようなものがない。このように、篩い分け網１は、網目が原料の流れる方向に長く開口するだけでなく、原料の流れを阻害するものを有しないので、含水率が高く、微粉や微泥を多く含む土砂などの、付着性の高い原料等の、篩い分けが困難な原料を篩い分けるときに、その原料が篩い分け網１の網目に付着することを低減できる。したがって、この篩い分け網１は、その目詰まりが低減される。また、繋ぎ部２９、２９が、他の連結部４ａによって連結されているので、縦線部２１、２１の長さ寸法が大きくても、隣り合う縦線部２１、２１、ひいては、隣り合う縦素線２、２の間隔が、必要以上に開くことがないので、篩い分け網１の網目を通したくない大きな原料までも篩い落とされるという虞が少なく、原料の篩い分けを確実にすることができる。さらに、縦素線２、２が段差を有することから、第二の実施の形態と同様に、含水率が高い等によって、まとまって流れ易い原料であっても、段差を通過することでほぐされるので、篩い分けを容易にすることができる。
【００３３】
また、この篩い分け網１は、支持部３および他の支持部３ａの双方が振動篩機に固定されることで、取り付けられるわけであるが、支持部３が、縦線部２１、２１の他方の端部２１ｂ、２１ｂを支持し、他の支持部３ａが、延出部２６、１６を支持することから、篩い分け網１は、原料の流れる方向Ｄにおける上流側および下流側の両端がともに固定され、安定的に取り付けられることとなる。
【００３４】
なお、本発明は、上述した実施の形態に限定されるわけではなく、その他、種々の変更が可能である。例えば、縦素線２は、図示実施の形態のように、一本の線材が折り曲げられて形成されるものに限定されず、例えば、縦線部２１と垂下部２２とが、それぞれ別の線材からなり、縦線部２１を構成する線材の先端に、垂下部２２を構成する線材が、溶接等により固着されて形成されてなってもよい。
【００３５】
また、支持部３は、図示実施の形態においては、２枚のプレート３２、３３からなっているが、必ずしもこれに限定されるわけではなく、例えば、支持部３は、固着部３０と取付部３１とを備えた一枚の板状体からなってもよい。このとき、縦線部２１、２１の他方の端部２１ｂ、２１ｂは、前記固着部３０に、溶接や接着等により固着さることで、互いに連結されるようにして支持される。
【００３６】
また、連結部４は、図示実施の形態のように、二つの連結部材４０、４０からなる必要はなく、一つの連結部材４０からなってもよいし、あるいは、３つ以上の複数の連結部材４０、４０からなってもよい。また、連結部材４０としては、縦素線２を構成する線材と同一の線材以外にも、様々な素材、形状のものを使用することができる。例えば、ウレタン樹脂等の熱可塑性を備えた合成樹脂によって、細長板状の連結部材４０を形成し、垂下部２２、２２との交差部で加熱溶着することによって、垂下部２２、２２を互いに連結するようにしてもよい。
【００３７】
また、図６に示した、第二の実施の形態、および、図７に示した、第三の実施の形態においては、縦素線２、２には、段差が一つだけ形成されているが、段差は、縦線部２１、２１の、一方の端部２１ａ、２１ａと他方の端部２１ｂ、２１ｂとの間において、複数箇所に形成されてもよい。
【図面の簡単な説明】
【００３８】
【図１】この発明に係る篩い分け網の、第一の実施の形態の平面図である。
【図２】同じく、正面図である。
【図３】同じく、一部を破断した要部拡大図である。
【図４】この発明の第一の実施の形態の篩い分け網の、使用例を示す、斜視図である。
【図５】この発明の第一の実施の形態の篩い分け網の、その他の使用例を示す、平面図である。
【図６】この発明に係る篩い分け網の、第二の実施の形態の正面図である。
【図７】この発明に係る篩い分け網の、第三の実施の形態の正面図である。
【符号の説明】
【００３９】
１    篩い分け網
２    縦素線
３    支持部
４    連結部
２１  縦線部
２１ａ  一方の端部
２１ｂ  他方の端部
２２  垂下部
【図１】
2006035152.tif 000003
【図２】
2006035152.tif 000004
【図３】
2006035152.tif 000005
【図４】
2006035152.tif 000006
【図５】
2006035152.tif 000007
【図６】
2006035152.tif 000008
【図７】
2006035152.tif 000009